(57)【要約】【課題】限られたスペースへの設置を可能にし、かつより確実に機器の転倒を防止する。【解決手段】電解水生成装置Ａにおいて、ハウジング１０の下部には、電解水生成装置Ａを支える一対の支持足４１，４２が両対向パネル１１，１２側にそれぞれ設けられ、両支持足４１，４２は、平面視でハウジング１０の外側に突出する突出位置と、ハウジング１０の内側に没入される収納位置とに移動可能にハウジング１０に支持されている。そして、一方の支持足４１（４２）が収納位置にあるときに、他方の支持足４２（４１）が収納位置へ移動する動作が制限される。【選択図】図４
2014226597.tif 000002
【特許請求の範囲】
【請求項１】
互いに対向する起立状の側壁を有するハウジングと、該ハウジング内に収容された電解槽とを備えた電解水生成装置であって、
前記ハウジングの下部には、当該電解水生成装置を支える少なくとも一対の支持足が前記両側壁側にそれぞれ設けられ、
前記両支持足は、平面視で前記ハウジングの外側に突出する突出位置と、該ハウジングの内側に没入される収納位置とに移動可能に該ハウジングに支持され、かつ一方の前記支持足が収納位置にあるときに、他方の前記支持足が収納位置へ移動する動作が制限されるように構成されている
ことを特徴とする電解水生成装置。
【請求項２】
請求項１記載の電解水生成装置において、
前記ハウジングは底部を有しており、
前記各支持足は、平面視において偏心した位置で上下方向の軸心回りに揺動可能に前記底部に軸支されており、
一方の前記支持足が前記収納位置にあるとき、該一方の支持足は、他方の前記支持足が前記収納位置に回動するときの収納空間の少なくとも一部に侵入して該他方の支持足の前記収納位置への回動を干渉するように構成されている
ことを特徴とする電解水生成装置。
【請求項３】
請求項２記載の電解水生成装置において、
前記各支持足の軸心と該軸心から最も離れた外周縁との長さは、前記一対の支持足における軸心間の距離よりも長い
ことを特徴とする電解水生成装置。
【請求項４】
請求項２記載の電解水生成装置において、
前記各支持足は、平面視における前記ハウジングの側壁側に位置する側辺が該側壁の外面に沿った形状に形成された側縁部と、突出位置にある他の支持足が収納位置に移動するときに干渉する干渉部とを有する
ことを特徴とする電解水生成装置。
【請求項５】
請求項２から４のうちのいずれか１項に記載の電解水生成装置において、
前記各支持足の上下方向の厚さは、当該電解水生成装置用の電源コード、給水ホースおよび排水ホースのうちの少なくともいずれか１つの径よりも大きい
ことを特徴とする電解水生成装置。
【請求項６】
請求項２記載の電解水生成装置において、
一方の前記支持足が収納位置にあるとき、突出位置にある他の支持足が収納位置に向かって回動不能となるように固定する固定部材が設けられている
ことを特徴とする電解水生成装置。
【請求項７】
請求項２記載の電解水生成装置において、
前記各支持足が突出位置にあるときに、該支持足の回動を抑制する回動抑制機構が設けられている
ことを特徴とする電解水生成装置。
【請求項８】
請求項２から４のうちのいずれか１項に記載の電解水生成装置において、
前記支持足と前記底部との間に、前記ハウジング下端部と当該電解水生成装置の設置面との間の距離を、当該電解水生成装置用の電源コード、給水ホースおよび排水ホースのうちの少なくともいずれか１つの径よりも大きくする中間部材が設けられている
ことを特徴とする電解水生成装置。
【発明の詳細な説明】
【技術分野】
【０００１】
本発明は、水を電気分解することによって電解水を生成する電解槽を備えた電解水生成装置に関する。
【背景技術】
【０００２】
キッチン等において、電解水生成装置が設置できるようなスペースは限られており、このような限られたスペースに設置できる薄型の電解水生成装置が望まれている。また、キッチン等に電解水生成装置を設置した後に、料理やその他の作業等をするためのスペースが広く確保できるようにすることが望まれている。
【０００３】
一方で、一般的に、電解水生成装置は、複数の金属製電極を有する電解槽および電解槽に電解用電源を供給する電源回路等を有しているため、浄水器などと比較して非常に重い。また、電解槽に電解用電源を供給する電源回路は高電圧および高電流を供給する電源である。このため、電解水生成装置の薄型化を行う際には、転倒や落下による破損や故障、シンク内への転倒による漏電等の危険を回避する必要があり、電解水生成装置の転倒をより確実に防ぐ支持部材（例えば支持足等）が必要になる。
【０００４】
特許文献１には、薄型の箱形状のイオン水生成器の短手の側面を設置面として縦置きする技術が開示されており、イオン水生成器に係る複数の設置構造が開示されている。具体的には、イオン水生成器は、長手の両側面に設けた取付部にビス等を用いて末広の固定具を固定し、設置面への固定具の設置面積を広くして倒れにくくしている（特許文献１の図１３参照）。また、設置構造の他の例として、キッチン等の室内壁に壁固定片を固定する一方で、イオン水生成器には装置側固定具を固定し、壁固定片に装置側固定具を係止させて倒れにくくしている（特許文献１の図１４参照）。
【０００５】
特許文献２には、全体としてスリムであって、簡単には横倒れしないようにした除湿具が開示されている。具体的には、除湿具の横倒れ防止手段は、容器本体の底面に形成された２つの回転軸と、回転軸に回転可能に支持された足部とからなり、足部の幅が容器本体の幅より小さく、長さが容器本体の幅よりも大きく形成されている。これにより、足部は容器本体の底面内に収められる不使用位置と、容器本体の側方に突出する使用位置のいずれかに設置可能であり、必要があるときだけ足部を使用することができる。
【０００６】
特許文献３には、イオン水生成器において、イオン水生成器の底面に取り付けられ、装置本体の側方に向かって引出し可能に構成されたコの字状の脚部に係る技術が開示されている。
【先行技術文献】
【特許文献】
【０００７】
【特許文献１】特開２００３−３３４５５２号公報
【特許文献２】特開２００１−１７０４３８号公報
【特許文献３】実用新案登録第２５８０９１５号公報
【発明の概要】
【発明が解決しようとする課題】
【０００８】
しかしながら、特許文献１のようにイオン水生成器の長手の両側面に末広の固定具を設けた構成は、設置面への固定具の設置面積を広く確保することができるものの、キッチン等において背面に壁面がある場合には、固定具の幅に対応したスペースがイオン水生成器と壁面との間に必要になる。したがって、設置スペースが限られている場合に、イオン水生成器が置けない可能性が出てくる。また、イオン水生成器が設置できる場合であっても、固定具の幅の分だけイオン水生成器を壁面から前側に出す必要があり、イオン水生成器の後側にデッドスペースが生じ、前方のスペースが狭くなる。したがって、キッチン等のスペースの有効活用ができなくなる。
【０００９】
また、壁板に壁固定片を固定して装置用固定具を係止させる設置構造においても、イオン水生成器と壁板面との間に固定片の突出量に応じたデッドスペースが生じる。また、安定して設置するために、室内壁面の壁固定片を装置固定具と同じ高さに取り付ける必要があり、非常に面倒である。
【００１０】
特許文献２に開示された技術をイオン水生成器に適用した場合、両方の足部が不使用位置と使用位置との間で移動可能に構成されているため、背面に壁板がある場合には、足を収納することができ、イオン水生成器の後方にスペースを発生させずに機器を設置することができる。
【００１１】
しかしながら、特許文献２に開示された技術を電解水生成装置に適用した場合において、仮に使用者が両方の足部を不使用位置に収納させた状態で使用したとき、装置幅方向において、足部と設置面との設置面積が十分に確保できずに、機器が簡単に横倒れする恐れがある。さらに、電解水生成装置は、吐水する水の状態を選択する操作部を長手の側壁面に有するものが多く、その操作によって横倒れする可能性はさらに高まる。
【００１２】
本発明は、上記課題を解決するためになされたものであり、その主な目的は、限られたスペースへの設置を可能にし、かつより確実に機器の転倒を防止できる電解水生成装置を提供することにある。
【課題を解決するための手段】
【００１３】
本発明は、電解水生成装置におけるハウジングの両側壁側にそれぞれ設けられた少なくとも一対の支持足が、ハウジングの外側に突出する突出位置と、ハウジングの内側に没入される収納位置とに移動可能にハウジングに支持され、かつ一方の支持足が収納位置にあるときに、他方の支持足の収納位置への移動動作が制限されるように構成したものである。
【００１４】
すなわち、本発明の第１態様では、互いに対向する起立状の側壁を有するハウジングと、ハウジング内に収容された電解槽とを備えた電解水生成装置において、ハウジングの下部には、電解水生成装置を支える少なくとも一対の支持足が両側壁側にそれぞれ設けられ、両支持足は、平面視でハウジングの外側に突出する突出位置と、ハウジングの内側に没入される収納位置とに移動可能にハウジングに支持され、かつ一方の支持足が収納位置にあるときに、他方の支持足が収納位置へ移動する動作が制限されるように構成されている。
【００１５】
この態様によると、電解水生成装置をそのハウジングの側壁が設置場所（例えばキッチン）の壁面と対向するように設置する場合、両支持足がそれぞれ収納位置に移動可能に支持されているので、壁面に近接する側壁側に設けられた支持足のみを収納位置に移動することによって、電解水生成装置を壁面に近接して設置することができる。また、一方の支持足が収納位置にあるときには、他方の支持足が収納位置へ移動する動作が制限されるため、他方の支持足は収納位置に移動できず、ハウジングの外側に突出した状態が維持される。この突出した他方の支持足によって電解水生成装置の幅方向の設置面積が十分に確保されるため、電解水生成装置の転倒（横倒れ）を防ぐことができる。これにより、電解水生成装置の転倒をより確実に防ぐことができる。さらに、両支持足のうちのいずれか一方がそれぞれに収納位置に移動可能であるため、電源コンセントの位置等に応じて、仮に壁面と対向するハウジングの側壁を反対側の側壁にしたとしても、やはり電解水生成装置を壁板に近接して設置しかつ電解水生成装置の転倒をより確実に防ぐことができる。なお、電解水生成装置を壁板から離間して配置する場合には、両支持足を突出位置に移動させて使用してもよい。
【００１６】
本発明の第２態様では、第１態様記載の電解水生成装置において、ハウジングは底部を有しており、各支持足は、平面視において偏心した位置で上下方向の軸心回りに揺動可能に底部に軸支されており、一方の支持足が収納位置にあるとき、一方の支持足は、他方の支持足が収納位置に移動するときの収納空間の少なくとも一部に侵入して他方の支持足の収納位置への移動を干渉するように構成されている。
【００１７】
この態様によると、各支持足は偏心した位置で上下方向軸心回りに揺動可能に軸支されているので、第１態様と同様に、壁板に近接する側壁側に設けられた一方の支持足を収納位置に回動させることによって、電解水生成装置を壁板に近接して設置することができる。また、こうして一方の支持足が収納位置にある場合には、その一方の支持足によって他方の支持足の収納位置への回動が干渉されるため、該他方の支持足は収納位置に回動できず、ハウジングの外側に突出した状態が維持される。これにより、第１態様と同様に、電解水生成装置の転倒（横倒れ）をより確実に防ぐことができる。
【００１８】
本発明の第３態様では、第２態様記載の電解水生成装置において、各支持足の軸心と該軸心から最も離れた外周縁との長さは、一対の支持足における軸心間の距離よりも長いことを特徴とする。
【００１９】
この態様によると、一方の支持足は、収納位置からさらにハウジング内方に回動しようとしても、突出位置にある他方の支持足の軸心の手前で他方の支持足と当接し、それ以上回動できない状態となる。これにより、収納位置に没入した支持足が必要以上に回動することを防ぐことができる。
【００２０】
本発明の第４態様では、第２態様記載の電解水生成装置において、各支持足は、平面視におけるハウジングの側壁側に位置する側辺が側壁の外面に沿った形状に形成された側縁部と、突出位置にある他の支持足が収納位置に移動するときに干渉する干渉部とを有する。
【００２１】
この態様によると、各支持足のハウジング側壁側にある側辺が同側壁の外面に沿っているため、他の側辺形状の場合と比較して収納位置に没入した場合における設置面積をより広く確保することができる。また、収納位置にある一方の支持足の干渉部によって他方の支持足の収納位置への回動が干渉されるため、第２態様と同様に、電解水生成装置の転倒をより確実に防ぐことができる。
【００２２】
本発明の第５態様では、第２態様から第４態様のうちの少なくともいずれか一態様に記載の電解水生成装置において、各支持足の上下方向の厚さは、電解水生成装置用の電源コード、給水ホースおよび排水ホースのうちの少なくともいずれか１つの径よりも大きいことを特徴とする。
【００２３】
この態様によると、各支持足の高さに応じてハウジング下端部と電解水生成装置の設置面との間に隙間ができるため、その隙間から電源コードや給排水ホースを外部に取り出すことができる。これにより、例えばキッチンのコーナー部分に電解水生成装置を置きたい場合等に、ハウジングの側壁側から電源コードや給排水ホースを外部に取り出すことができるため、電解水生成装置の設置位置の自由度が高まる。また、ハウジングに電源コードや給排水ホースの取り出し用の貫通孔や切り欠きを別途に設ける必要がない。
【００２４】
本発明の第６態様では、第２態様記載の電解水生成装置において、各支持足は、支持足が収納位置にあるとき、突出位置にある他の支持足が収納位置に向かって移動不能となるように固定する固定部材が設けられている。
【００２５】
この態様によると、一方の支持足が収納位置にあるとき、他の支持足は固定部材によって揺動不能に固定される。これにより、他方の支持足はハウジングの外側に突出した状態が維持される。したがって、より確実に電解水生成装置の転倒を防ぐことができる。
【００２６】
本発明の第７態様では、第２態様記載の電解水生成装置において、各支持足が突出位置にあるときに、該支持足の回動を抑制する回動抑制機構が設けられている。
【００２７】
この態様によると、各支持足が突出位置にあるときに、該支持足の回動が抑制されるため、仮に突出位置にある支持足に対して収納位置へ回動させる力が加わったとしても、回動抑制部材によって支持足の回動が抑制される。これにより、突出位置と収納位置との間における各支持足の揺動を可能にしつつ、突出位置においては支持足の回動が抑制され、より確実に電解水生成装置の転倒を防ぐことができる。
【００２８】
本発明の第８態様では、第２態様から第４態様のうちの少なくともいずれか一態様に記載の電解水生成装置において、支持足と底部との間に、ハウジング下端部と電解水生成装置の設置面との間の距離を、電解水生成装置用の電源コード、給水ホースおよび排水ホースのうちの少なくともいずれか１つの径よりも大きくする中間部材が設けられている。
【００２９】
この態様によると、中間部材の高さに応じてハウジング下端部と電解水生成装置の設置面との間に隙間ができるため、第５態様と同様に、その隙間から電源コードや給排水ホースを外部に取り出すことができ、電解水生成装置の設置位置の自由度が高まる。また、ハウジングに電源コードや給排水ホースの取り出し用の貫通孔や切り欠きを設ける必要がない。
【発明の効果】
【００３０】
本発明によれば、電解水を生成する電解槽を備えた電解水生成装置において、ハウジングの内側に没入可能に支持された支持足が両側壁側に突出または収納可能に設けられ、かつ両支持足が同時に収納位置に没入されることがないため、限られたスペースへの設置を可能にし、かつより確実に機器の転倒を防止できる。
【図面の簡単な説明】
【００３１】
【図１】実施形態に係る電解水生成装置を前方斜め下側から見た斜視図である。
【図２】実施形態に係る電解水生成装置の内部構成を示す概略図である。
【図３】支持足機構を下側から見た斜視図である。
【図４】実施形態に係る支持足の動作を説明するための電解水生成装置を下側から見た平面図である。
【図５】実施形態に係る支持足の動作を説明するための電解水生成装置を下側から見た平面図である。
【図６】その他の実施形態に係る電解水生成装置の右側面図である。
【図７】（ａ）は支持足機構、（ｂ）は支持足を下から見た斜視図である。
【発明を実施するための形態】
【００３２】
以下、本発明の実施形態を図面に基づいて詳細に説明する。以下の好ましい実施形態の説明は、本質的に例示に過ぎず、本発明、その適用範囲あるいはその用途を制限することを意図するものではない。
【００３３】
図１および図２は、実施形態に係る電解水生成装置Ａを示した図であり、電解水生成装置Ａは装置本体７０を収容するためのハウジング１０を備える。
【００３４】
ハウジング１０は、図１に示すように、互いに対向して配置された上下方向に延びる側壁としての対向パネル１１，１２と、両対向パネル１１，１２の上端および下端間をそれぞれ一体に接続する上パネル１４および底部としての底パネル１６と、両対向パネル１１，１２の前端（図１で左側）間を一体に接続し、かつハウジング１０の外方に向かって断面円弧形状に突出するように形成された接続パネル１３とを備えている。このハウジング１０には、電解水生成装置Ａの後方に配置された収容カバー１５が、装置本体７０に装着される浄水器７５を収容するように接続されており、装置本体７０に取り外し可能に取り付けられている。なお、本実施形態の説明において、「前」とは接続パネル１３側を、「後」とは収容カバー１５側を指すものとする。
【００３５】
電解水生成装置Ａは、さらに、ハウジング１０の上パネル１４の上面から上方に突出する円筒状のキャップ２１と、キャップ２１の外周側面に水平方向に向かって延びるように接続され、かつ吐水方向が変更可能なフレキシブル管からなる吐水管２２と、吐水管２２の先端に取り付けられた吐水ノズル２３と、ハウジング１０の底面に取り付けられた一対の支持足機構４０，５０と、ハウジング１０内から外部空間に対して電解水生成装置Ａの吐水状態を示す表示部３１とを備える。
【００３６】
図４および図５に示すように、底パネル１６の前側には、厚さ方向に貫通する貫通孔１６ａが設けられており、商用電源を制御基板７２に供給する電源コード３６が挿通されている。同様に、底パネル１６の前後中間部および後側には、それぞれ厚さ方向に貫通する貫通孔１６ｂ，１６ｃが設けられており、電解槽７４から出た排水を排出する排水ホース３３の先端に接続された排水ホース接続部材３２および水道水を浄水器に給水する給水ホース３５の先端に接続された給水ホース接続部材３４が挿通されている。
【００３７】
装置本体７０は、図２に示すように、水道水を浄水する浄水器７５と、浄水器７５で浄水した水を電気分解することによって電解水を生成する電解槽７４と、電解槽７４に電解用電源を供給する電源回路７２ａ等が搭載された制御基板７２と、表示部３１を構成する発光素子（例えばＬＥＤ)等が取り付けられた回路基板７３とを備えている。電解槽７４で生成された水素水（電解水）は、流水管２６、接続部２５およびハウジング１０のキャップ２１を介して吐水管２２に接続されている。具体的には、流水管２６の一端は、電解槽７４のケースに取り付けられ、流水管２６の他端は、接続部２５の一端に接続されている。また、接続部２５の他端は、キャップ２１を介して吐水管２２に接続されている。接続部２５は、フレーム７１によって装置本体７０に固定されている。
【００３８】
制御基板７２には、商用電源（例えば、ＡＣ１００Ｖ）を受けて、制御基板７２および回路基板７３に搭載された電気回路や素子等に電源を供給する電源回路７２ｂと、電源回路７２ｂからの電源供給を受けて、所定の電圧の電解用電源を生成して、電解槽７４に供給する電源回路７２ａとが設けられている。
【００３９】
回路基板７３は、対向パネル１１，１２内面側間の距離よりも短い幅を有する縦長の基板であり、接続パネル１３に近接しかつ接続パネル１３と対向するように配置され、接続パネル１３内面に突設した前後方向内方に延びる固定部材に対して、ネジ等によって固定されている。
【００４０】
一方の支持足機構４０は、図１に示すように、両対向パネル１１，１２側に設けられた一対の支持足４１，４２を有し、各支持足４１，４２は、それぞれネジ４３，４４等によって中間部材としてのブラケット６０に揺動可能に軸支されている。ブラケット６０は、ネジ６２等によって底パネル１６に固定されている。同様に、他方の支持足機構５０は、両対向パネル１１，１２側に設けられた一対の支持足５１，５２を有し、各支持足５１，５２は、それぞれネジ５３，５４等によって中間部材としてのブラケット８０に揺動可能に軸支されている。ブラケット８０は、ネジ８２等によって底パネル１６に固定されている。
【００４１】
ブラケット６０は、図３に示すように、底パネル１６に取り付けられる第１取付板６０ａと、第１取付板６０ａと平行に設けられて各支持足４１，４２が取り付けられる第２取付板６０ｃと、第１取付板６０ａおよび第２取付板６０ｃの長手方向（図２で左右方向）の両端部間をそれぞれ接続する接続板６０ｂ，６０ｂとを備える。第１取付板６０ａには、底パネル１６のネジ穴（図示せず）の位置と対応する位置において、長手方向に２つ並んで厚さ方向に貫通する貫通孔６１ａ，６１ｂが形成されている。ブラケット６０は、この貫通孔６１ａ，６１ｂを介して下からネジ等によって底パネル１６にネジ止めされて、固定される。また、第２取付板６０ｃの長手方向両端部付近には、厚さ方向に貫通し、各支持足４１，４２を取り付けるためのネジ孔（図示せず）が形成されている。
【００４２】
支持足４１は、図３および図４に示すように、平面視で台形状部と、台形状部の長辺に直径部分で連続形成された略半円形状部とからなるベース部材４１ａと、ベース部材４１ａの厚さ方向下側に一体に形成され、平面視でベース部材４１ａと相似形でかつそれよりも大きさが一回り小さい緩衝部材４１ｂとを有する。ベース部材４１ａは、例えばアルミニウム等の金属板である。また、緩衝部材４１ｂは、例えばアルミニウム等の金属板の下面に滑り止めおよび緩衝材としての緩衝板が一体に形成されている。また、ベース部材４１ａの台形状部分の略中央部には、厚さ方向に延びる貫通孔４１ｃが形成されており、緩衝部材４１ｂにおいて、この貫通孔４１ｃと対応する部分は円弧形状に切り欠かれている。支持足４１は、この貫通孔４１ｃを介して、例えば下からネジ４３等によってネジ止めされることによって、平面視において偏心した位置でネジ４３を軸心として軸心回りに揺動可能に軸支される。
【００４３】
そして、支持足４１は、上記形状により、側辺が対向パネル１１の側壁外面に沿った形状である一対の側縁部４１ｄ，４１ｄ（台形状の斜辺）と、突出位置にある他の支持足である支持足４２が収納位置に移動するときに干渉する干渉部４１ｅとを有する。また、支持足４１は、貫通孔４１ｃの中心（支持足の軸心）から最も離れた外周縁（図４では点Ｘ）までの長さＤ１が、第２取付板６０ｃに形成された２つのネジ孔の中心間（両支持足４１，４２の軸心間）の距離Ｄ２よりも長くなるように形成される。
【００４４】
支持足４２も支持足４１と同様に構成されている。具体的には、支持足４２は、ベース部材４２ａと緩衝部材４２ｂとを有し、ベース部材４２ａの台形状部分には厚さ方向に延びる貫通孔４２ｃが形成され、緩衝部材４２ｂには貫通孔４２ｃと対応する位置に円弧形状の切り欠きがある。
【００４５】
また、支持足４２は、支持足４１と同様に、側辺が対向パネル１２の側壁外面に沿った形状である側縁部４２ｄ，４２ｄと、突出位置にある他の支持足である支持足４１が収納位置に移動するときに干渉する干渉部４２ｅとを有する。また、ベース部４２ａの貫通孔４２ｃの中心から最も離れた外周縁までの長さについても、支持足４１と同様の規定で形成されている。
【００４６】
これにより、一方の支持足（例えば支持足４１）は、回動の途中で必ず他方の支持足（例えば支持足４２）に当たるため、収納位置に没入した支持足が必要以上に回動することを防ぐことができる。
【００４７】
なお、他方の支持足機構５０についても一方の支持足機構４０と同様に構成されている。すなわち、一対の支持足５１，５２は支持足４１，４２と同様に構成されている。
【００４８】
［支持足の動作］
この実施形態において、電解水生成装置Ａの設置場所に応じて支持足を動作させる場合における、支持足の動作の一例を図１、図４を用いて詳細に説明する。なお、図４において、支持足４１，４２，５１，５２は、各支持足の回転軸よりも電解水生成装置Ａの後側に収納されるものとする。すなわち、各支持足の収納位置は、各支持足の回転軸よりも後側にあるものとする。
【００４９】
まず、電解水生成装置Ａをその左右両側にキッチン等の壁面が近接しないように設置する場合には、図１に示すように、両支持足機構４０，５０のすべての支持足４１，４２，５１，５２を突出位置になるように回動（突出）させる。これにより、電解水生成装置Ａの横倒れを防ぐことができる。
【００５０】
次に、電解水生成装置Ａの右側面側に壁面９０がある場合には、図４に示すように、両支持足機構４０，５０において右側面側（対向パネル１１側）の支持足４１，５１のみを収納位置に回動（没入）させる。これにより、電解水生成装置Ａの右側面（対向パネル１１の右側面）が壁面９０に近接するように、電解水生成装置Ａを設置することができる。また、左側面側の支持足４２，５２は突出位置にあるままなので、この支持足４２，５２によって電解水生成装置Ａの幅方向の設置面積が十分に確保され、電解水生成装置Ａの転倒（横倒れ）を防ぐことができる。
【００５１】
このとき、仮に支持足４２，５２に没入方向へ回動させる力が加わったとしても、支持足４１，５１のそれぞれの干渉部４１ｅ，５１ｅが支持足４２，５２の収納位置に係る収納空間の一部に侵入して、支持足４２，５２の収納位置への回動に対して干渉するため、支持足４２，５２は収納位置に回動することができない。したがって、このような場合においても、電解水生成装置Ａの幅方向の設置面積が十分に確保されることは損なわれず、電解水生成装置Ａが転倒（横倒れ）することを安定して防ぐことができる。
【００５２】
同様に、電解水生成装置Ａの左側面側に壁面がある場合には、図４に仮想線で示すように、右側面側（対向パネル１１側）の支持足４１，５１のみを突出位置に回動（突出）させる。また、左側面側（対向パネル１２側）の支持足４２，５２は収納位置に回動（没入）させる。これにより、電解水生成装置Ａをその左側面が壁面に近接するように設置することができる。また、このとき支持足４１，５１は突出位置にあるので、この支持足４１，５１によって十分に電解水生成装置Ａの幅方向の設置面積が確保され、電解水生成装置Ａの転倒（横倒れ）を防ぐことができる。
【００５３】
このとき、仮に支持足４１，５１に没入方向への力が加わったとしても、支持足４２，５２のそれぞれの干渉部４２ｅ，５２ｅが支持足４１，５１の収納位置に係る収納空間の一部に侵入して、支持足４１，５１の収納位置への回動に対して干渉するため、支持足４１，５１は収納位置に移動することができない。したがって、このような場合においても、電解水生成装置Ａの幅方向の設置面積が十分に確保されることは損なわれず、電解水生成装置Ａの転倒（横倒れ）を防ぐことができる。
【００５４】
なお、各一対の支持足機構４０，５０を構成する一対の支持足４１，４２および一対の支持足５１，５２がそれぞれ同時に収納位置に向かって回動させた場合においても、図５に示すように、相互の干渉部（干渉部４１ｅと干渉部４２ｅおよび干渉部５１ｅと干渉部５２ｅ）が干渉するため、両方の支持足が同時に収納位置に没入することはない。よって、このような場合においても、電解水生成装置Ａの幅方向の設置面積が十分に確保され、電解水生成装置Ａの転倒（横倒れ）を防ぐことができる。
【００５５】
［その他の実施形態］
以上、本発明を好ましい実施形態により説明してきたが、種々の改変が可能である。
【００５６】
例えば、図６に示すように、ブラケット６０，８０に代えて、ハウジング１０のいずれかの側壁側に位置するパネル（対向パネル１１，１２、接続パネル１３等）の下端部と電解水生成装置Ａの設置面との間の距離を、電解水生成装置Ａ用の電源コード３６、給水ホース３５、排水ホース３３のいずれかの径よりも大きくするようなブラケット６３，８３を設けてもよい。また、ブラケット６０，８０の高さの代わりに、各支持足４１，４２，５１，５２自体の上下方向の厚さを電解水生成装置Ａ用の電源コード３６、給水ホース３５、排水ホース３３のいずれかの径よりも大きくしてもよい。図６では、その一例としてハウジング１０の対向パネル１１の下端部と電解水生成装置Ａの設置面との間の距離Ｄ４を電解水生成装置Ａ用の給水ホース３５の径Ｄ３よりも大きくした例を示している。
【００５７】
これにより、上記の実施形態と同様に、側壁側パネルの下端部すなわちハウジング１０の下端部と電解水生成装置Ａの設置面との間に電源コード３６、給水ホース３５、排水ホース３３等を通せる隙間ができるため、その隙間から電源コード３６、給水ホース３５、排水ホース３３等を外部に取り出すことができる。これにより、例えばキッチンのコーナー部分に電解水生成装置を置きたい場合等に、ハウジングの側壁側パネル（例えば対向パネル１１）の側方側から電源コードや給排水ホースを外部に取り出すことができるため、電解水生成装置の設置位置の自由度が高まる。
【００５８】
また、各支持足４１，４２，５１，５２は、ブラケット６０，８０を介して底パネル１６に接続されるものとしたが、ハウジング１０に直接取り付けてもかまわない。例えば、図４に示すように、両対向パネル１１，１２の前側に内方に突出する突起部８１ａ，８１ｂを形成し、その突起部８１ａ，８１ｂにネジ穴（図示しない）を形成し、このネジ穴に対して支持足４１，４２をそれぞれに軸支してもよい。また、底パネル１６の底面をハウジング１０の下端部と同じ高さになるように形成し、その新しく形成した底パネルに直接各支持足４１，４２，５１，５２を軸支してもよい。
【００５９】
また、支持足４１，４２，５１，５２の形状は、上記の実施形態で説明した形状に限定されない。例えば、支持足４１，４２，５１，５２の側縁部４１ｄ，４２ｄ，５１ｄ，５２ｄを長くしてもよいし、平面視で台形状部と、台形状部の長辺に連続形成され長径側端部が切り欠かれた楕円形状部とからなるようにしてもかまわない。また、台形状部を有しない長円形状（例えば楕円形状）にしてもかまわないし、平面視で曲面を有しないような矩形状でもかまわない。また、大きさについても、足の長さが上記の実施形態よりも長くなってもかまわない。
【００６０】
また、図４において、支持足４１，４２，５１，５２は、各支持足の回転軸よりも電解水生成装置Ａの後側に収納されるものとしたが、前側に収納される。すなわち、各支持足の収納位置が、各支持足の回転軸よりも前側にあるものとしてもよい。
【００６１】
また、支持足４１，４２，５１，５２は、同じ大きさ、形状であるものとしたが、それぞれが異なっていてもかまわない。例えば、図４において、支持足５１，５２のみの側縁部５１ｄ，５２ｄを対向パネル１１の側壁外面に沿った形状とするようにしてもよい。
【００６２】
また、図示しないが、一方の支持足が収納位置にあるときに、突出位置にある他の支持足が収納位置に向かって回動（移動）不能となるように固定する固定部材を底パネル（またはブラケット）に設けてもよい。例えば、各対向パネルと直交する位置で突出位置にある他の支持足が固定されるようにしてもよい。
【００６３】
さらに、一対の支持足機構４０として、図７に示すような一対の支持足機構４０を用いてもかまわない。図７に示す一対の支持足機構４０では、図３と比較して、両方の支持足４１，４２のベース部材の形状が異なっている。具体的には、図７に示すように、ブラケット６０の第２取付板６０ｃに厚さ方向に係合孔６１ｃが設けられており、支持足４１，４２のベース部材４１ｆ，４２ｆには、台形状部分の短辺側の端部から裏側に突出するように一体形成され、支持足が突出位置にあるときに、係合孔６１ｃへ係合可能な係合凸片４１ｇ，４２ｇが設けられている。係合孔６１ｃと係合凸片４１ｇ，４２ｇとによって回動抑制機構４５，４６が構成されている。係合凸片４１ｇ，４２ｇは、厚さ方向に移動可能な弾性部材で形成されている。これにより、仮に突出位置にある支持足に対して没入方向へ回動させる力が加わったとしても、回動抑制機構４５，４６によって支持足の回動が抑制される。一方で、それぞれの支持足４１，４２を収納位置に移動させたい場合には、それぞれの係合凸片４１ｇ，４２ｇが弾性変形して係合孔６１ｃから出る程度に強い力で回動させればよい。これにより、突出位置と収納位置との間における各支持足の揺動を可能にしつつ、突出位置においては支持足の回動が抑制され、より確実に電解水生成装置の転倒を防ぐことができる。なお、他の支持足に５１，５２ついても、支持足４１，４２と同様に係合凸片を設けることができる。
【００６４】
なお、各支持足を突出位置において確実に固定したい場合は、図７において、支持足４１，４２の係合凸部４１ｇ，４２ｇを弾性変形しないように形成すればよい。これにより、より確実に電解水生成装置の転倒を防ぐことができる。
【符号の説明】
【００６５】
Ａ  電解水生成装置
１０  ハウジング
１１，１２  対向パネル（側壁）
１６  底パネル（底部）
３３  排水ホース
３５  給水ホース
３６  電源コード
４１，４２，５１，５２  支持足
４１ｄ，４２ｄ，５１ｄ，５２ｄ  側縁部
４１ｅ，４２ｅ，５１ｅ，５２ｅ  干渉部
４５，４６  回動抑制機構
６０，６３，８０，８３  ブラケット（中間部材）
７４  電解槽
Ｄ１  長さ
Ｄ２  軸心間の距離
Ｄ３  給水ホースの径
Ｄ４  距離
【図１】
2014226597.tif 000003
【図２】
2014226597.tif 000004
【図３】
2014226597.tif 000005
【図４】
2014226597.tif 000006
【図５】
2014226597.tif 000007
【図６】
2014226597.tif 000008
【図７】
2014226597.tif 000009
【手続補正書】
【提出日】平成26年8月25日(2014.8.25)
【手続補正１】
【補正対象書類名】明細書
【補正対象項目名】全文
【補正方法】変更
【補正の内容】
【発明の詳細な説明】
【技術分野】
【０００１】
本発明は、水を電気分解することによって電解水を生成する電解槽を備えた電解水生成装置に関する。
【背景技術】
【０００２】
キッチン等において、電解水生成装置が設置できるようなスペースは限られており、このような限られたスペースに設置できる薄型の電解水生成装置が望まれている。また、キッチン等に電解水生成装置を設置した後に、料理やその他の作業等をするためのスペースが広く確保できるようにすることが望まれている。
【０００３】
一方で、一般的に、電解水生成装置は、複数の金属製電極を有する電解槽および電解槽に電解用電源を供給する電源回路等を有しているため、浄水器などと比較して非常に重い。また、電解槽に電解用電源を供給する電源回路は高電圧および高電流を供給する電源である。このため、電解水生成装置の薄型化を行う際には、転倒や落下による破損や故障、シンク内への転倒による漏電等の危険を回避する必要があり、電解水生成装置の転倒をより確実に防ぐ支持部材（例えば支持足等）が必要になる。
【０００４】
特許文献１には、薄型の箱形状のイオン水生成器の短手の側面を設置面として縦置きする技術が開示されており、イオン水生成器に係る複数の設置構造が開示されている。具体的には、イオン水生成器は、長手の両側面に設けた取付部にビス等を用いて末広の固定具を固定し、設置面への固定具の設置面積を広くして倒れにくくしている（特許文献１の図１３参照）。また、設置構造の他の例として、キッチン等の室内壁に壁固定片を固定する一方で、イオン水生成器には装置側固定具を固定し、壁固定片に装置側固定具を係止させて倒れにくくしている（特許文献１の図１４参照）。
【０００５】
特許文献２には、全体としてスリムであって、簡単には横倒れしないようにした除湿具が開示されている。具体的には、除湿具の横倒れ防止手段は、容器本体の底面に形成された２つの回転軸と、回転軸に回転可能に支持された足部とからなり、足部の幅が容器本体の幅より小さく、長さが容器本体の幅よりも大きく形成されている。これにより、足部は容器本体の底面内に収められる不使用位置と、容器本体の側方に突出する使用位置のいずれかに設置可能であり、必要があるときだけ足部を使用することができる。
【０００６】
特許文献３には、イオン水生成器において、イオン水生成器の底面に取り付けられ、装置本体の側方に向かって引出し可能に構成されたコの字状の脚部に係る技術が開示されている。
【先行技術文献】
【特許文献】
【０００７】
【特許文献１】特開２００３−３３４５５２号公報
【特許文献２】特開２００１−１７０４３８号公報
【特許文献３】登録実用新案登録第２５８０９１５号公報
【発明の概要】
【発明が解決しようとする課題】
【０００８】
しかしながら、特許文献１のようにイオン水生成器の長手の両側面に末広の固定具を設けた構成は、設置面への固定具の設置面積を広く確保することができるものの、キッチン等において背面に壁面がある場合には、固定具の幅に対応したスペースがイオン水生成器と壁面との間に必要になる。したがって、設置スペースが限られている場合に、イオン水生成器が置けない可能性が出てくる。また、イオン水生成器が設置できる場合であっても、固定具の幅の分だけイオン水生成器を壁面から前側に出す必要があり、イオン水生成器の後側にデッドスペースが生じ、前方のスペースが狭くなる。したがって、キッチン等のスペースの有効活用ができなくなる。
【０００９】
また、壁板に壁固定片を固定して装置用固定具を係止させる設置構造においても、イオン水生成器と壁板面との間に固定片の突出量に応じたデッドスペースが生じる。また、安定して設置するために、室内壁面の壁固定片を装置固定具と同じ高さに取り付ける必要があり、非常に面倒である。
【００１０】
特許文献２に開示された技術をイオン水生成器に適用した場合、両方の足部が不使用位置と使用位置との間で移動可能に構成されているため、背面に壁板がある場合には、足を収納することができ、イオン水生成器の後方にスペースを発生させずに機器を設置することができる。
【００１１】
しかしながら、特許文献２に開示された技術を電解水生成装置に適用した場合において、仮に使用者が両方の足部を不使用位置に収納させた状態で使用したとき、装置幅方向において、足部と設置面との設置面積が十分に確保できずに、機器が簡単に横倒れする恐れがある。さらに、電解水生成装置は、吐水する水の状態を選択する操作部を長手の側壁面に有するものが多く、その操作によって横倒れする可能性はさらに高まる。
【００１２】
本発明は、上記課題を解決するためになされたものであり、その主な目的は、限られたスペースへの設置を可能にし、かつより確実に機器の転倒を防止できる電解水生成装置を提供することにある。
【課題を解決するための手段】
【００１３】
本発明は、電解水生成装置におけるハウジングの両側壁側にそれぞれ設けられた少なくとも一対の支持足が、ハウジングの外側に突出する突出位置と、ハウジングの内側に没入される収納位置とに移動可能にハウジングに支持され、かつ一方の支持足が収納位置にあるときに、他方の支持足の収納位置への移動動作が制限されるように構成したものである。
【００１４】
すなわち、本発明の第１態様では、互いに対向する起立状の側壁を有するハウジングと、ハウジング内に収容された電解槽とを備えた電解水生成装置において、ハウジングの下部には、電解水生成装置を支える少なくとも一対の支持足が両側壁側にそれぞれ設けられ、両支持足は、平面視でハウジングの外側に突出する突出位置と、ハウジングの内側に没入される収納位置とに移動可能にハウジングに支持され、かつ一方の支持足は、収納位置にあるときに、他方の支持足が収納位置に移動するときの収納空間の少なくとも一部に侵入して該他方の支持足の前記収納位置への移動を干渉する干渉部を有する。
【００１５】
この態様によると、電解水生成装置をそのハウジングの側壁が設置場所（例えばキッチン）の壁面と対向するように設置する場合、両支持足がそれぞれ収納位置に移動可能に支持されているので、壁面に近接する側壁側に設けられた支持足のみを収納位置に移動することによって、電解水生成装置を壁面に近接して設置することができる。また、一方の支持足が収納位置にあるときには、他方の支持足が収納位置へ移動する動作が制限されるため、他方の支持足は収納位置に移動できず、ハウジングの外側に突出した状態が維持される。この突出した他方の支持足によって電解水生成装置の幅方向の設置面積が十分に確保されるため、電解水生成装置の転倒（横倒れ）を防ぐことができる。これにより、電解水生成装置の転倒をより確実に防ぐことができる。さらに、両支持足のうちのいずれか一方がそれぞれに収納位置に移動可能であるため、電源コンセントの位置等に応じて、仮に壁面と対向するハウジングの側壁を反対側の側壁にしたとしても、やはり電解水生成装置を壁板に近接して設置しかつ電解水生成装置の転倒をより確実に防ぐことができる。なお、電解水生成装置を壁板から離間して配置する場合には、両支持足を突出位置に移動させて使用してもよい。
【００１６】
本発明の第２態様では、第１態様記載の電解水生成装置において、ハウジングは底部を有しており、各支持足は、平面視において偏心した位置で上下方向の軸心回りに揺動可能に底部に軸支されており、一方の支持足が収納位置にあるとき、一方の支持足の干渉部は、他方の支持足が収納位置に移動するときの収納空間の少なくとも一部に侵入して他方の支持足の収納位置への移動を干渉するように構成されている。
【００１７】
この態様によると、各支持足は偏心した位置で上下方向軸心回りに揺動可能に軸支されているので、第１態様と同様に、壁板に近接する側壁側に設けられた一方の支持足を収納位置に回動させることによって、電解水生成装置を壁板に近接して設置することができる。また、こうして一方の支持足が収納位置にある場合には、その一方の支持足の干渉部によって他方の支持足の収納位置への回動が干渉されるため、該他方の支持足は収納位置に回動できず、ハウジングの外側に突出した状態が維持される。これにより、第１態様と同様に、電解水生成装置の転倒（横倒れ）をより確実に防ぐことができる。
【００１８】
本発明の第３態様では、第２態様記載の電解水生成装置において、各支持足の軸心と該軸心から最も離れた外周縁との長さは、一対の支持足における軸心間の距離よりも長いことを特徴とする。
【００１９】
この態様によると、一方の支持足は、収納位置からさらにハウジング内方に回動しようとしても、突出位置にある他方の支持足の軸心の手前で他方の支持足と当接し、それ以上回動できない状態となる。これにより、収納位置に没入した支持足が必要以上に回動することを防ぐことができる。
【００２０】
本発明の第４態様では、第２態様記載の電解水生成装置において、各支持足は、平面視におけるハウジングの側壁側に位置する側辺が側壁の外面に沿った形状に形成された側縁部と、突出位置にある他の支持足が収納位置に移動するときに干渉する干渉部とを有する。
【００２１】
この態様によると、各支持足のハウジング側壁側にある側辺が同側壁の外面に沿っているため、他の側辺形状の場合と比較して収納位置に没入した場合における設置面積をより広く確保することができる。また、収納位置にある一方の支持足の干渉部によって他方の支持足の収納位置への回動が干渉されるため、第２態様と同様に、電解水生成装置の転倒をより確実に防ぐことができる。
【００２２】
本発明の第５態様では、第２態様から第４態様のうちの少なくともいずれか一態様に記載の電解水生成装置において、各支持足の上下方向の厚さは、電解水生成装置用の電源コード、給水ホースおよび排水ホースのうちの少なくともいずれか１つの径よりも大きいことを特徴とする。
【００２３】
この態様によると、各支持足の高さに応じてハウジング下端部と電解水生成装置の設置面との間に隙間ができるため、その隙間から電源コードや給排水ホースを外部に取り出すことができる。これにより、例えばキッチンのコーナー部分に電解水生成装置を置きたい場合等に、ハウジングの側壁側から電源コードや給排水ホースを外部に取り出すことができるため、電解水生成装置の設置位置の自由度が高まる。また、ハウジングに電源コードや給排水ホースの取り出し用の貫通孔や切り欠きを別途に設ける必要がない。
【００２４】
本発明の第６態様では、第２態様記載の電解水生成装置において、各支持足は、支持足が収納位置にあるとき、突出位置にある他の支持足が収納位置に向かって移動不能となるように固定する固定部材が設けられている。
【００２５】
この態様によると、一方の支持足が収納位置にあるとき、他の支持足は固定部材によって揺動不能に固定される。これにより、他方の支持足はハウジングの外側に突出した状態が維持される。したがって、より確実に電解水生成装置の転倒を防ぐことができる。
【００２６】
本発明の第７態様では、第２態様記載の電解水生成装置において、各支持足が突出位置にあるときに、該支持足の回動を抑制する回動抑制機構が設けられている。
【００２７】
この態様によると、各支持足が突出位置にあるときに、該支持足の回動が抑制されるため、仮に突出位置にある支持足に対して収納位置へ回動させる力が加わったとしても、回動抑制部材によって支持足の回動が抑制される。これにより、突出位置と収納位置との間における各支持足の揺動を可能にしつつ、突出位置においては支持足の回動が抑制され、より確実に電解水生成装置の転倒を防ぐことができる。
【００２８】
本発明の第８態様では、第２態様から第４態様のうちの少なくともいずれか一態様に記載の電解水生成装置において、支持足と底部との間に、ハウジング下端部と電解水生成装置の設置面との間の距離を、電解水生成装置用の電源コード、給水ホースおよび排水ホースのうちの少なくともいずれか１つの径よりも大きくする中間部材が設けられている。
【００２９】
この態様によると、中間部材の高さに応じてハウジング下端部と電解水生成装置の設置面との間に隙間ができるため、第５態様と同様に、その隙間から電源コードや給排水ホースを外部に取り出すことができ、電解水生成装置の設置位置の自由度が高まる。また、ハウジングに電源コードや給排水ホースの取り出し用の貫通孔や切り欠きを設ける必要がない。
【発明の効果】
【００３０】
本発明によれば、電解水を生成する電解槽を備えた電解水生成装置において、ハウジングの内側に没入可能に支持された支持足が両側壁側に突出または収納可能に設けられ、かつ両支持足が同時に収納位置に没入されることがないため、限られたスペースへの設置を可能にし、かつより確実に機器の転倒を防止できる。
【図面の簡単な説明】
【００３１】
【図１】実施形態に係る電解水生成装置を前方斜め下側から見た斜視図である。
【図２】実施形態に係る電解水生成装置の内部構成を示す概略図である。
【図３】支持足機構を下側から見た斜視図である。
【図４】実施形態に係る支持足の動作を説明するための電解水生成装置を下側から見た平面図である。
【図５】実施形態に係る支持足の動作を説明するための電解水生成装置を下側から見た平面図である。
【図６】その他の実施形態に係る電解水生成装置の右側面図である。
【図７】（ａ）は支持足機構、（ｂ）は支持足を下から見た斜視図である。
【発明を実施するための形態】
【００３２】
以下、本発明の実施形態を図面に基づいて詳細に説明する。以下の好ましい実施形態の説明は、本質的に例示に過ぎず、本発明、その適用範囲あるいはその用途を制限することを意図するものではない。
【００３３】
図１および図２は、実施形態に係る電解水生成装置Ａを示した図であり、電解水生成装置Ａは装置本体７０を収容するためのハウジング１０を備える。
【００３４】
ハウジング１０は、図１に示すように、互いに対向して配置された上下方向に延びる側壁としての対向パネル１１，１２と、両対向パネル１１，１２の上端および下端間をそれぞれ一体に接続する上パネル１４および底部としての底パネル１６と、両対向パネル１１，１２の前端（図１で左側）間を一体に接続し、かつハウジング１０の外方に向かって断面円弧形状に突出するように形成された接続パネル１３とを備えている。このハウジング１０には、電解水生成装置Ａの後方に配置された収容カバー１５が、装置本体７０に装着される浄水器７５を収容するように接続されており、装置本体７０に取り外し可能に取り付けられている。なお、本実施形態の説明において、「前」とは接続パネル１３側を、「後」とは収容カバー１５側を指すものとする。
【００３５】
電解水生成装置Ａは、さらに、ハウジング１０の上パネル１４の上面から上方に突出する円筒状のキャップ２１と、キャップ２１の外周側面に水平方向に向かって延びるように接続され、かつ吐水方向が変更可能なフレキシブル管からなる吐水管２２と、吐水管２２の先端に取り付けられた吐水ノズル２３と、ハウジング１０の底面に取り付けられた一対の支持足機構４０，５０と、ハウジング１０内から外部空間に対して電解水生成装置Ａの吐水状態を示す表示部３１とを備える。
【００３６】
図４および図５に示すように、底パネル１６の前側には、厚さ方向に貫通する貫通孔１６ａが設けられており、商用電源を制御基板７２に供給する電源コード３６が挿通されている。同様に、底パネル１６の前後中間部および後側には、それぞれ厚さ方向に貫通する貫通孔１６ｂ，１６ｃが設けられており、電解槽７４から出た排水を排出する排水ホース３３の先端に接続された排水ホース接続部材３２および水道水を浄水器に給水する給水ホース３５の先端に接続された給水ホース接続部材３４が挿通されている。
【００３７】
装置本体７０は、図２に示すように、水道水を浄水する浄水器７５と、浄水器７５で浄水した水を電気分解することによって電解水を生成する電解槽７４と、電解槽７４に電解用電源を供給する電源回路７２ａ等が搭載された制御基板７２と、表示部３１を構成する発光素子（例えばＬＥＤ)等が取り付けられた回路基板７３とを備えている。電解槽７４で生成された水素水（電解水）は、流水管２６、接続部２５およびハウジング１０のキャップ２１を介して吐水管２２に接続されている。具体的には、流水管２６の一端は、電解槽７４のケースに取り付けられ、流水管２６の他端は、接続部２５の一端に接続されている。また、接続部２５の他端は、キャップ２１を介して吐水管２２に接続されている。接続部２５は、フレーム７１によって装置本体７０に固定されている。
【００３８】
制御基板７２には、商用電源（例えば、ＡＣ１００Ｖ）を受けて、制御基板７２および回路基板７３に搭載された電気回路や素子等に電源を供給する電源回路７２ｂと、電源回路７２ｂからの電源供給を受けて、所定の電圧の電解用電源を生成して、電解槽７４に供給する電源回路７２ａとが設けられている。
【００３９】
回路基板７３は、対向パネル１１，１２内面側間の距離よりも短い幅を有する縦長の基板であり、接続パネル１３に近接しかつ接続パネル１３と対向するように配置され、接続パネル１３内面に突設した前後方向内方に延びる固定部材に対して、ネジ等によって固定されている。
【００４０】
一方の支持足機構４０は、図１に示すように、両対向パネル１１，１２側に設けられた一対の支持足４１，４２を有し、各支持足４１，４２は、それぞれネジ４３，４４等によって中間部材としてのブラケット６０に揺動可能に軸支されている。ブラケット６０は、ネジ６２等によって底パネル１６に固定されている。同様に、他方の支持足機構５０は、両対向パネル１１，１２側に設けられた一対の支持足５１，５２を有し、各支持足５１，５２は、それぞれネジ５３，５４等によって中間部材としてのブラケット８０に揺動可能に軸支されている。ブラケット８０は、ネジ８２等によって底パネル１６に固定されている。
【００４１】
ブラケット６０は、図３に示すように、底パネル１６に取り付けられる第１取付板６０ａと、第１取付板６０ａと平行に設けられて各支持足４１，４２が取り付けられる第２取付板６０ｃと、第１取付板６０ａおよび第２取付板６０ｃの長手方向（図２で左右方向）の両端部間をそれぞれ接続する接続板６０ｂ，６０ｂとを備える。第１取付板６０ａには、底パネル１６のネジ穴（図示せず）の位置と対応する位置において、長手方向に２つ並んで厚さ方向に貫通する貫通孔６１ａ，６１ｂが形成されている。ブラケット６０は、この貫通孔６１ａ，６１ｂを介して下からネジ等によって底パネル１６にネジ止めされて、固定される。また、第２取付板６０ｃの長手方向両端部付近には、厚さ方向に貫通し、各支持足４１，４２を取り付けるためのネジ孔（図示せず）が形成されている。
【００４２】
支持足４１は、図３および図４に示すように、平面視で台形状部と、台形状部の長辺に直径部分で連続形成された略半円形状部とからなるベース部材４１ａと、ベース部材４１ａの厚さ方向下側に一体に形成され、平面視でベース部材４１ａと相似形でかつそれよりも大きさが一回り小さい緩衝部材４１ｂとを有する。ベース部材４１ａは、例えばアルミニウム等の金属板である。また、緩衝部材４１ｂは、例えばアルミニウム等の金属板の下面に滑り止めおよび緩衝材としての緩衝板が一体に形成されている。また、ベース部材４１ａの台形状部分の略中央部には、厚さ方向に延びる貫通孔４１ｃが形成されており、緩衝部材４１ｂにおいて、この貫通孔４１ｃと対応する部分は円弧形状に切り欠かれている。支持足４１は、この貫通孔４１ｃを介して、例えば下からネジ４３等によってネジ止めされることによって、平面視において偏心した位置でネジ４３を軸心として軸心回りに揺動可能に軸支される。
【００４３】
そして、支持足４１は、上記形状により、側辺が対向パネル１１の側壁外面に沿った形状である一対の側縁部４１ｄ，４１ｄ（台形状の斜辺）と、突出位置にある他の支持足である支持足４２が収納位置に移動するときに干渉する干渉部４１ｅとを有する。また、支持足４１は、貫通孔４１ｃの中心（支持足の軸心）から最も離れた外周縁（図４では点Ｘ）までの長さＤ１が、第２取付板６０ｃに形成された２つのネジ孔の中心間（両支持足４１，４２の軸心間）の距離Ｄ２よりも長くなるように形成される。
【００４４】
支持足４２も支持足４１と同様に構成されている。具体的には、支持足４２は、ベース部材４２ａと緩衝部材４２ｂとを有し、ベース部材４２ａの台形状部分には厚さ方向に延びる貫通孔４２ｃが形成され、緩衝部材４２ｂには貫通孔４２ｃと対応する位置に円弧形状の切り欠きがある。
【００４５】
また、支持足４２は、支持足４１と同様に、側辺が対向パネル１２の側壁外面に沿った形状である側縁部４２ｄ，４２ｄと、突出位置にある他の支持足である支持足４１が収納位置に移動するときに干渉する干渉部４２ｅとを有する。また、ベース部４２ａの貫通孔４２ｃの中心から最も離れた外周縁までの長さについても、支持足４１と同様の規定で形成されている。
【００４６】
これにより、一方の支持足（例えば支持足４１）は、回動の途中で必ず他方の支持足（例えば支持足４２）に当たるため、収納位置に没入した支持足が必要以上に回動することを防ぐことができる。
【００４７】
なお、他方の支持足機構５０についても一方の支持足機構４０と同様に構成されている。すなわち、一対の支持足５１，５２は支持足４１，４２と同様に構成されている。
【００４８】
［支持足の動作］
この実施形態において、電解水生成装置Ａの設置場所に応じて支持足を動作させる場合における、支持足の動作の一例を図１、図４を用いて詳細に説明する。なお、図４において、支持足４１，４２，５１，５２は、各支持足の回転軸よりも電解水生成装置Ａの後側に収納されるものとする。すなわち、各支持足の収納位置は、各支持足の回転軸よりも後側にあるものとする。
【００４９】
まず、電解水生成装置Ａをその左右両側にキッチン等の壁面が近接しないように設置する場合には、図１に示すように、両支持足機構４０，５０のすべての支持足４１，４２，５１，５２を突出位置になるように回動（突出）させる。これにより、電解水生成装置Ａの横倒れを防ぐことができる。
【００５０】
次に、電解水生成装置Ａの右側面側に壁面９０がある場合には、図４に示すように、両支持足機構４０，５０において右側面側（対向パネル１１側）の支持足４１，５１のみを収納位置に回動（没入）させる。これにより、電解水生成装置Ａの右側面（対向パネル１１の右側面）が壁面９０に近接するように、電解水生成装置Ａを設置することができる。また、左側面側の支持足４２，５２は突出位置にあるままなので、この支持足４２，５２によって電解水生成装置Ａの幅方向の設置面積が十分に確保され、電解水生成装置Ａの転倒（横倒れ）を防ぐことができる。
【００５１】
このとき、仮に支持足４２，５２に没入方向へ回動させる力が加わったとしても、支持足４１，５１のそれぞれの干渉部４１ｅ，５１ｅが支持足４２，５２の収納位置に係る収納空間の一部に侵入して、支持足４２，５２の収納位置への回動に対して干渉するため、支持足４２，５２は収納位置に回動することができない。したがって、このような場合においても、電解水生成装置Ａの幅方向の設置面積が十分に確保されることは損なわれず、電解水生成装置Ａが転倒（横倒れ）することを安定して防ぐことができる。
【００５２】
同様に、電解水生成装置Ａの左側面側に壁面がある場合には、図４に仮想線で示すように、右側面側（対向パネル１１側）の支持足４１，５１のみを突出位置に回動（突出）させる。また、左側面側（対向パネル１２側）の支持足４２，５２は収納位置に回動（没入）させる。これにより、電解水生成装置Ａをその左側面が壁面に近接するように設置することができる。また、このとき支持足４１，５１は突出位置にあるので、この支持足４１，５１によって十分に電解水生成装置Ａの幅方向の設置面積が確保され、電解水生成装置Ａの転倒（横倒れ）を防ぐことができる。
【００５３】
このとき、仮に支持足４１，５１に没入方向への力が加わったとしても、支持足４２，５２のそれぞれの干渉部４２ｅ，５２ｅが支持足４１，５１の収納位置に係る収納空間の一部に侵入して、支持足４１，５１の収納位置への回動に対して干渉するため、支持足４１，５１は収納位置に移動することができない。したがって、このような場合においても、電解水生成装置Ａの幅方向の設置面積が十分に確保されることは損なわれず、電解水生成装置Ａの転倒（横倒れ）を防ぐことができる。
【００５４】
なお、各一対の支持足機構４０，５０を構成する一対の支持足４１，４２および一対の支持足５１，５２がそれぞれ同時に収納位置に向かって回動させた場合においても、図５に示すように、相互の干渉部（干渉部４１ｅと干渉部４２ｅおよび干渉部５１ｅと干渉部５２ｅ）が干渉するため、両方の支持足が同時に収納位置に没入することはない。よって、このような場合においても、電解水生成装置Ａの幅方向の設置面積が十分に確保され、電解水生成装置Ａの転倒（横倒れ）を防ぐことができる。
【００５５】
［その他の実施形態］
以上、本発明を好ましい実施形態により説明してきたが、種々の改変が可能である。
【００５６】
例えば、図６に示すように、ブラケット６０，８０に代えて、ハウジング１０のいずれかの側壁側に位置するパネル（対向パネル１１，１２、接続パネル１３等）の下端部と電解水生成装置Ａの設置面との間の距離を、電解水生成装置Ａ用の電源コード３６、給水ホース３５、排水ホース３３のいずれかの径よりも大きくするようなブラケット６３，８３を設けてもよい。また、ブラケット６０，８０の高さの代わりに、各支持足４１，４２，５１，５２自体の上下方向の厚さを電解水生成装置Ａ用の電源コード３６、給水ホース３５、排水ホース３３のいずれかの径よりも大きくしてもよい。図６では、その一例としてハウジング１０の対向パネル１１の下端部と電解水生成装置Ａの設置面との間の距離Ｄ４を電解水生成装置Ａ用の給水ホース３５の径Ｄ３よりも大きくした例を示している。
【００５７】
これにより、上記の実施形態と同様に、側壁側パネルの下端部すなわちハウジング１０の下端部と電解水生成装置Ａの設置面との間に電源コード３６、給水ホース３５、排水ホース３３等を通せる隙間ができるため、その隙間から電源コード３６、給水ホース３５、排水ホース３３等を外部に取り出すことができる。これにより、例えばキッチンのコーナー部分に電解水生成装置を置きたい場合等に、ハウジングの側壁側パネル（例えば対向パネル１１）の側方側から電源コードや給排水ホースを外部に取り出すことができるため、電解水生成装置の設置位置の自由度が高まる。
【００５８】
また、各支持足４１，４２，５１，５２は、ブラケット６０，８０を介して底パネル１６に接続されるものとしたが、ハウジング１０に直接取り付けてもかまわない。例えば、図４に示すように、両対向パネル１１，１２の前側に内方に突出する突起部８１ａ，８１ｂを形成し、その突起部８１ａ，８１ｂにネジ穴（図示しない）を形成し、このネジ穴に対して支持足４１，４２をそれぞれに軸支してもよい。また、底パネル１６の底面をハウジング１０の下端部と同じ高さになるように形成し、その新しく形成した底パネルに直接各支持足４１，４２，５１，５２を軸支してもよい。
【００５９】
また、支持足４１，４２，５１，５２の形状は、上記の実施形態で説明した形状に限定されない。例えば、支持足４１，４２，５１，５２の側縁部４１ｄ，４２ｄ，５１ｄ，５２ｄを長くしてもよいし、平面視で台形状部と、台形状部の長辺に連続形成され長径側端部が切り欠かれた楕円形状部とからなるようにしてもかまわない。また、台形状部を有しない長円形状（例えば楕円形状）にしてもかまわないし、平面視で曲面を有しないような矩形状でもかまわない。また、大きさについても、足の長さが上記の実施形態よりも長くなってもかまわない。
【００６０】
また、図４において、支持足４１，４２，５１，５２は、各支持足の回転軸よりも電解水生成装置Ａの後側に収納されるものとしたが、前側に収納される。すなわち、各支持足の収納位置が、各支持足の回転軸よりも前側にあるものとしてもよい。
【００６１】
また、支持足４１，４２，５１，５２は、同じ大きさ、形状であるものとしたが、それぞれが異なっていてもかまわない。例えば、図４において、支持足５１，５２のみの側縁部５１ｄ，５２ｄを対向パネル１１の側壁外面に沿った形状とするようにしてもよい。
【００６２】
また、図示しないが、一方の支持足が収納位置にあるときに、突出位置にある他の支持足が収納位置に向かって回動（移動）不能となるように固定する固定部材を底パネル（またはブラケット）に設けてもよい。例えば、各対向パネルと直交する位置で突出位置にある他の支持足が固定されるようにしてもよい。
【００６３】
さらに、一対の支持足機構４０として、図７に示すような一対の支持足機構４０を用いてもかまわない。図７に示す一対の支持足機構４０では、図３と比較して、両方の支持足４１，４２のベース部材の形状が異なっている。具体的には、図７に示すように、ブラケット６０の第２取付板６０ｃに厚さ方向に係合孔６１ｃが設けられており、支持足４１，４２のベース部材４１ｆ，４２ｆには、台形状部分の短辺側の端部から裏側に突出するように一体形成され、支持足が突出位置にあるときに、係合孔６１ｃへ係合可能な係合凸片４１ｇ，４２ｇが設けられている。係合孔６１ｃと係合凸片４１ｇ，４２ｇとによって回動抑制機構４５，４６が構成されている。係合凸片４１ｇ，４２ｇは、厚さ方向に移動可能な弾性部材で形成されている。これにより、仮に突出位置にある支持足に対して没入方向へ回動させる力が加わったとしても、回動抑制機構４５，４６によって支持足の回動が抑制される。一方で、それぞれの支持足４１，４２を収納位置に移動させたい場合には、それぞれの係合凸片４１ｇ，４２ｇが弾性変形して係合孔６１ｃから出る程度に強い力で回動させればよい。これにより、突出位置と収納位置との間における各支持足の揺動を可能にしつつ、突出位置においては支持足の回動が抑制され、より確実に電解水生成装置の転倒を防ぐことができる。なお、他の支持足に５１，５２ついても、支持足４１，４２と同様に係合凸片を設けることができる。
【００６４】
なお、各支持足を突出位置において確実に固定したい場合は、図７において、支持足４１，４２の係合凸部４１ｇ，４２ｇを弾性変形しないように形成すればよい。これにより、より確実に電解水生成装置の転倒を防ぐことができる。
【符号の説明】
【００６５】
Ａ  電解水生成装置
１０  ハウジング
１１，１２  対向パネル（側壁）
１６  底パネル（底部）
３３  排水ホース
３５  給水ホース
３６  電源コード
４１，４２，５１，５２  支持足
４１ｄ，４２ｄ，５１ｄ，５２ｄ  側縁部
４１ｅ，４２ｅ，５１ｅ，５２ｅ  干渉部
４５，４６  回動抑制機構
６０，６３，８０，８３  ブラケット（中間部材）
７４  電解槽
Ｄ１  長さ
Ｄ２  軸心間の距離
Ｄ３  給水ホースの径
Ｄ４  距離
【手続補正２】
【補正対象書類名】特許請求の範囲
【補正対象項目名】全文
【補正方法】変更
【補正の内容】
【特許請求の範囲】
【請求項１】
互いに対向する起立状の側壁を有するハウジングと、該ハウジング内に収容された電解槽とを備えた電解水生成装置であって、
前記ハウジングの下部には、当該電解水生成装置を支える少なくとも一対の支持足が前記両側壁側にそれぞれ設けられ、
前記両支持足は、平面視で前記ハウジングの外側に突出する突出位置と、該ハウジングの内側に没入される収納位置とに移動可能に該ハウジングに支持され、
かつ一方の前記支持足は、収納位置にあるときに、他方の支持足が収納位置に移動するときの収納空間の少なくとも一部に侵入して該他方の支持足の前記収納位置への移動を干渉する干渉部を有する
ことを特徴とする電解水生成装置。
【請求項２】
請求項１記載の電解水生成装置において、
前記ハウジングは底部を有しており、
前記各支持足は、平面視において偏心した位置で上下方向の軸心回りに揺動可能に前記底部に軸支されており、
一方の支持足が前記収納位置にあるとき、該一方の支持足の干渉部は、他方の前記支持足が前記収納位置に回動するときの収納空間の少なくとも一部に侵入して該他方の支持足の前記収納位置への回動を干渉するように構成されている
ことを特徴とする電解水生成装置。
【請求項３】
請求項２記載の電解水生成装置において、
前記各支持足の軸心と該軸心から最も離れた外周縁との長さは、前記一対の支持足における軸心間の距離よりも長い
ことを特徴とする電解水生成装置。
【請求項４】
請求項２記載の電解水生成装置において、
前記各支持足は、平面視における前記ハウジングの側壁側に位置する側辺が該側壁の外面に沿った形状に形成された側縁部と、突出位置にある他の支持足が収納位置に移動するときに干渉する干渉部とを有する
ことを特徴とする電解水生成装置。
【請求項５】
請求項２から４のうちのいずれか１項に記載の電解水生成装置において、
前記各支持足の上下方向の厚さは、当該電解水生成装置用の電源コード、給水ホースおよび排水ホースのうちの少なくともいずれか１つの径よりも大きい
ことを特徴とする電解水生成装置。
【請求項６】
請求項２記載の電解水生成装置において、
一方の前記支持足が収納位置にあるとき、突出位置にある他の支持足が収納位置に向かって回動不能となるように固定する固定部材が設けられている
ことを特徴とする電解水生成装置。
【請求項７】
請求項２記載の電解水生成装置において、
前記各支持足が突出位置にあるときに、該支持足の回動を抑制する回動抑制機構が設けられている
ことを特徴とする電解水生成装置。
【請求項８】
請求項２から４のうちのいずれか１項に記載の電解水生成装置において、
前記支持足と前記底部との間に、前記ハウジング下端部と当該電解水生成装置の設置面との間の距離を、当該電解水生成装置用の電源コード、給水ホースおよび排水ホースのうちの少なくともいずれか１つの径よりも大きくする中間部材が設けられている
ことを特徴とする電解水生成装置。